(57)【要約】【課題】車両用シートのシートクッションの下部において、車両前方側から車両後方側に向けて空調風をスムーズに流すことが目的である。【解決手段】車両前方側から車両後方側に向けて流れる温風は、前方側遮蔽部１２０に当ったのち前方側遮蔽部１２０の壁面に沿って流れる。そして、温風は風洞部１１０の車両前端部と前方側遮蔽部１２０との境界部に沿って風路１１８に流れ込み、風路１１８を通って車両後方側にスムーズに流れる。また、下部カバー１００は、断熱性が高い（熱伝導効率が低い）樹脂製とされ、前方側遮蔽部１２０が正面視においてシート骨格部材５０を覆うように設けられていると共に、風洞部１１０の外壁面１１０Ａの外側にシート骨格部材５０が配置されている。よって、温風はシート骨格部材５０に当ることなく流れるので、シート骨格部材５０に熱が奪われることによる温風の温度低下が防止される。【選択図】図１
2009248753.tif 000002
【特許請求の範囲】
【請求項１】
乗員着座用のシートクッションから露出するシート骨格部材が車体フロア部に組み付けられた車両用シートの下部に取り付けられる下部カバーあって、
車両前後方向に延在し車両下方側に開口を向けて配置された断面略Ｕ字形状とされ、前記シートクッション及び前記シート骨格部材が外壁面の外側に配置されるように前記シートクッションの下側に設けられ、車両前方側から車両後方側に向けて空調風が流れる風路を形成する風洞部と、
前記風洞部の車両後方側端部から外側に向けて形成されると共に前記シート骨格部材よりも車両後方側に配置された後方側遮蔽部と、
前記風洞部の車両前方側端部から外側に向けて形成されると共に前記シート骨格部材よりも車両前方側に配置され、正面視において前記シート骨格部材を覆う前方側遮蔽部と、
を有し、
前記風洞部の車両前方側端部と前記前方側遮蔽部との境界部は曲面で構成されていることを特徴とする車両用シートの下部カバー。
【請求項２】
前記後方側遮蔽部は、後面視において前記シート骨格部材を覆ように設けられていることを特徴とする請求項１に記載の車両用シートの下部カバー。
【請求項３】
前記風洞部の車両後方側端部と前記後方側遮蔽部との境界部は曲面で構成されていることを特徴とする請求項１又は請求項２に記載の車両用シートの下部カバー。
【請求項４】
前記風洞部は、
車両幅方向外側の側壁を構成する外側遮蔽部と、
車両幅方向内側の側壁を構成する内側遮蔽部と、
車両上方側の天井部を構成し、前記外側遮蔽部の上端部と前記内側遮蔽部の上端部とに接続された上方側遮蔽部と、
を有し、
前記上方側遮蔽部と前記外側遮蔽部との境界部及び前記上方側遮蔽部と前記内側遮蔽部との境界部は曲面で構成されていることを特徴とする請求項１〜請求項３のいずれか１項に記載の車両用シートの下部カバー。
【請求項５】
乗員着座用のシートクッションから露出するシート骨格部材によって車体フロア部に組み付けられると共に、請求項１〜請求項４のいずれか１項に記載の車両用シートの下部カバーが取り付けられたことを特徴とする車両用シート。
【発明の詳細な説明】
【技術分野】
【０００１】
車両用シートの下部カバー及びこの下部カバーが取り付けられた車両用シートに関する。
【背景技術】
【０００２】
自動車等の車室内の車体フロア部には、乗員が着座する車両用シートが配設さている。車両用シートは、組み付け性の向上や見栄えの向上等ために、シートクッションの下側（裏側）に下部カバーを取り付けることがあった（例えば、特許文献１、特許文献２を参照）。
【特許文献１】特開２０００−１８９２９２号公報
【特許文献２】特開２００６−５６４１６号公報
【発明の開示】
【発明が解決しようとする課題】
【０００３】
上述したように、従来の車両用シートのシートクッションの下部（裏側）に取り付ける下部カバーは、組み付け性の向上や見栄えの向上が目的とされている。よって、空調風を車両用シートのシートクッションの下部空間を車両前方側から車両後方側に向けてスムーズに流し、車室内を迅速に快適な空間とすることについては考慮されていなかった。
【０００４】
本発明は、上記課題を解決すべく成されたもので、車両用シートのシートクッションの下部において、車両前方側から車両後方側に向けて空調風をスムーズに流す車両用シートの下部カバー及びこの下部カバーが取り付けられた車両用シートを提供することが目的である。
【課題を解決するための手段】
【０００５】
請求項１に記載の車両用シートの下部カバーは、乗員着座用のシートクッションから露出するシート骨格部材が車体フロア部に組み付けられた車両用シートの下部に取り付けられる下部カバーあって、車両前後方向に延在し車両下方側に開口を向けて配置された断面略Ｕ字形状とされ、前記シートクッション及び前記シート骨格部材が外壁面の外側に配置されるように前記シートクッションの下側に設けられ、車両前方側から車両後方側に向けて空調風が流れる風路を形成する風洞部と、前記風洞部の車両後方側端部から外側に向けて形成されると共に前記シート骨格部材よりも車両後方側に配置された後方側遮蔽部と、前記風洞部の車両前方側端部から外側に向けて形成されると共に前記シート骨格部材よりも車両前方側に配置され、正面視において前記シート骨格部材を覆う前方側遮蔽部と、を有し、前記風洞部の車両前方側端部と前記前方側遮蔽部との境界部は曲面で構成されていることを特徴としている。
【０００６】
請求項１に記載の車両用シートの下部カバーでは、前方側遮蔽部は正面視においてシート骨格部材を覆うように設けられている。よって、車両前方側から車両後方側に向けて流れる空調風は、前方側遮蔽部に当ったのち、前方側遮蔽部と風洞部の車両前方側端部との境界部に沿って風洞部が形成する風路に流れこみ、この風路を通って車両後方側にスムーズに流れる。
【０００７】
ここで、空調風が前方側遮蔽部に当らないで（風路を通らないで）、例えば、シート骨格部材の近傍を流れると、気流の乱れなどが大きく、空調風はスムーズに車両後方側に流れていかない。しかし、上述したように、前方側遮蔽部が正面視においてシート骨格部材を覆うように設けられることで、空調風がシート骨格部材の近傍を流れることが抑制又は防止される（空調風は風路を通って流れる）。よって、気流の乱れが抑制され、空調風がスムーズに車両後方側に流れる。
【０００８】
更に、風洞部の車両前端部と前方側遮蔽部との境界部は曲面形状とれている。よって、この境界部に沿って風路に流れこむ際の、空調風（気流）の乱れが抑制又は防止される。つまり、境界部を曲面で構成することで、空調風がスムーズに風路に流れ込む。
【０００９】
また、シートクッション及びシート骨格部材は風洞部の外壁面の外側に配置されているので、風路にはシートクッション及びシート骨格部材が露出していない。よって、風路（風洞部）を流れる空調風が、シートクッション及びシート骨格部材によって気流が乱されることなく、スムーズに車両後方側に流れる。
【００１０】
また、空調風が風路から車両後方側に流れ出す際の、車両前方側への巻き込みが後方側遮蔽部によって抑制又は防止される。その結果、空調風が風路からスムーズに車両後方側に流れ出す。
【００１１】
このように、本構成とすることで、空調風が、車両用シートの車両前方側からシートクッションの下部の風路を通ってスムーズに車両用シートの車両後方側に流れる。その結果、車室内が迅速に快適な空間となる。
【００１２】
ここで、空調風が温風とされ、シート骨格部材が金属等の熱伝導率が高い材質から構成されている場合、シート骨格部材に空調風（温風）が当ると熱が奪われてしまい、空調風（温風）の温度が低下する。
【００１３】
しかし、前述したように、下部カバーは、前方側遮蔽部が正面視においてシート骨格部材を覆うように設けられていると共に、風洞部の外壁面の外側にシート骨格部材が配置されている。よって、空調風はシート骨格部材に当ることなく流れるので、シート骨格部材に熱が奪われることによる空調風（温風）の温度低下が抑制又は防止される。
【００１４】
更に、風路から空調風（温風）が車両後方側に流れ出す際に、車両前方側に巻き込まれてシート骨格部材に当たり熱が奪われることによる温度低下が、後方側遮蔽部によって抑制又は防止される。
【００１５】
このように、空調風が温風とされ、シート骨格部材が金属等の熱伝導率が高い材質から構成されている場合であっても、本構成とすることで、シート骨格部材に熱が奪われることによる空調風（温風）の温度低下が抑制又は防止される。つまり、空調風が、車両用シートの車両前方側からシートクッションの下部の風路を通って車両後方側へと流れる際の、空調風（温風）の温度低下が抑制される。その結果、車室内が迅速に暖められる。また、空調負荷も低減される。
【００１６】
請求項２に記載の両用シートの下部カバーは、請求項１に記載の構成において、前記後方側遮蔽部は、後面視において前記シート骨格部材を覆ように設けられていることを特徴としている。
【００１７】
請求項２に記載の両用シートの下部カバーでは、後方側遮蔽部が後面視においてシート骨格部材を覆ように設けられているので、空調風が風路から車両後方側に流れ出す際の車両前方側への巻き込みが効果的に抑制又は防止される。
【００１８】
この結果、空調風が風路から車両後方側に、よりスムーズに流れ出す。よって、空調風が、車両用シートの車両前方側からシートクッションの下部の風路を通って、よりスムーズに車両用シートの車両後方側に流れる。
【００１９】
また、空調風が温風とされ、シート骨格部材が金属等の熱伝導率が高い材質から構成されている場合であっても、風路から空調風（温風）が車両後方側に流れ出す際に車両前方側に巻き込まれてシート骨格部材に当ることよってシート骨格部材に熱が奪われることが、効果的に抑制又は防止される。その結果、空調風（温風）が車両用シートの車両前方側から車両後方側へと流れる際の、空調風（温風）の温度低下が、更に抑制される。
【００２０】
請求項３に記載の車両用シートの下部バーは、請求項１又は請求項２に記載の構成において、前記風洞部の車両後方側端部と前記後方側遮蔽部との境界部は曲面で構成されていることを特徴としている。
【００２１】
請求項３に記載の両用シートの下部カバーでは、風洞部の車両後方側端部と後方側遮蔽部との境界部は曲面で構成されているので、空調風が風路から車両後方側に流れ出す際の車両前方側への巻き込みが効果的に抑制又は防止される。
【００２２】
この結果、空調風が風路から車両後方側に、よりスムーズに流れ出す。よって、空調風が、車両用シートの車両前方側からシートクッションの下部の風路を通って、よりスムーズに車両用シートの車両後方側に流れる。
【００２３】
また、空調風が温風とされ、シート骨格部材が金属等の熱伝導率が高い材質から構成されている場合であっても、シート骨格部材に熱が奪われることによる空調風（温風）の温度低下が、効果的に抑制又は防止される。その結果、空調風（温風）が車両用シートの車両前方側から車両後方側へと流れる際の、空調風（温風）の温度低下が、更に抑制される。
【００２４】
請求項４に記載の両用シートの下部カバーは、請求項１〜請求項３のいずれか１項に記載の構成において、前記風洞部は、車両幅方向外側の側壁を構成する外側遮蔽部と、車両幅方向内側の側壁を構成する内側遮蔽部と、車両上方側の天井部を構成し、前記外側遮蔽部の上端部と前記内側遮蔽部の上端部とに接続された上方側遮蔽部と、を有し、前記上方側遮蔽部と前記外側遮蔽部との境界部及び前記上方側遮蔽部と前記内側遮蔽部との境界部は曲面で構成されていることを特徴としている。
【００２５】
請求項４に記載の両用シートの下部カバーでは、風洞部の上方側遮蔽部と外側遮蔽部との境界部及び上方側遮蔽部と内側遮蔽部との境界部は、曲面で構成されているので、風路（風洞部）を流れる空調風の気流の乱れが、効果的に抑制又は防止され、スムーズに車両後方側に流れる。したがって、空調風が、車両用シートの車両前方側からシートクッションの下部に風路を通って、よりスムーズに車両用シートの車両後方側に流れる
【００２６】
請求項５に記載の車両用シートは、乗員着座用のシートクッションから露出するシート骨格部材によって車体フロア部に組み付けられると共に、請求項１〜請求項４のいずれか１項に記載の車両用シートの下部カバーが取り付けられることを特徴としている。
【００２７】
請求項５に記載の車両用シートは、請求項１〜請求項４のいずれか１項に記載の車両用シートの下部カバーが取り付けられているので、空調風が車両用シートの車両前方側からシートクッションの下部に風路を通ってスムーズに車両用シートの車両後方側に流れる。
【００２８】
また、空調風が温風とされ、シート骨格部材が金属等の熱伝導率が高い材質から構成されている場合であっても、シート骨格部材に熱が奪われることによる空調風（温風）の温度低下が抑制又は防止されるので、空調風（温風）が車両用シートの車両前方側から車両後方側へと流れる際の、空調風（温風）の温度低下が抑制される。
【発明の効果】
【００２９】
以上説明したように請求項１に記載の車両用シートの下部カバーによれば、空調風を車両用シートの車両前方側からシートクッションの下部の風路を通ってスムーズに車両用シートの車両後方側に流すことができる、という優れた効果を有すると共に、空調風が温風とされ、シート骨格部材が金属等の熱伝導率が高い材質から構成されている場合であっても、空調風（温風）の温度低下を抑制することができる、という優れた効果を有する。
【００３０】
請求項２に記載の両用シートの下部カバーによれば、後方側遮蔽部が後面視においてシート骨格部材を覆うように設けられているので、空調風が風路から車両後方側に流れ出す際の車両前方側への巻き込みを効果的に抑制又は防止することができる、という優れた効果を有する。
【００３１】
請求項３に記載の車両用シートの下部バーによれば、風洞部の車両後方側端部と後方側遮蔽部との境界部は曲面で構成されているので、空調風が風路から車両後方側に流れ出す際の車両前方側への巻き込みを効果的に抑制又は防止することできる、という優れた効果を有する。
【００３２】
請求項４に記載の両用シートの下部カバーよれば、風洞部の上方側遮蔽部と外側遮蔽部との境界部、及び、上方側遮蔽部と内側遮蔽部との境界部は、曲面で構成されているので、風路（風洞部）を流れる空調風の気流の乱れを抑制又は防止することができる、という優れた効果を有する。
【００３３】
請求項５に記載の車両用シートによれば、空調風を車両用シートの車両前方側からシートクッションの下部の風路を通ってスムーズに車両用シートの車両後方側に流すことができる、という優れた効果を有すると共に、空調風が温風とされ、シート骨格部材が金属等の熱伝導率が高い材質から構成されている場合であっても、空調風（温風）の温度低下を抑制することができる、という優れた効果を有する。
【発明を実施するための最良の形態】
【００３４】
以下、図１〜図６を用いて、本発明における車両用シートの下部カバー及びこの下部カバーが取り付けられた車両用シートの実施形態の一例を詳細に説明する。
【００３５】
図１は、本発明の実施形態に係る車両用シートの下部カバーが取り付けられた車両用シートの斜視図である。図２は、図１の分解斜視図である。図３は、下部カバー単体の斜視図である。図４（Ａ）は下部カバーが取り付けられた車両用シートの正面図であり、（Ｂ）は側面図である。図５は下部カバーが取り付けられた車両用シートを備える車両の車室内を助手席側の車両幅方向外側から見た側面図であり、図６は車両用シートが組み付けられた車室内を車両上方側から見た平面図である。なお、図中の矢印ＦＲは車両前方側方向を示し、矢印ＵＰは車両上方側方向を示し、矢印ＩＮは車両幅方向内側方向を示し、矢印ＯＵＴは車両幅方向外側方向を示す。
【００３６】
図６に示すように、車両１０の車室内１２には、車両用シートが車両前方側から後方に向けて三列配置されている。一列目には運転席シート１４及び助手席シート１６が配置され、二列目には運転席側二列目シート２４及び助手席側二列目シート２６が配置され、三列目には運転席側三列目シート３４及び助手席側三列目シート３６が配置されている（図５も参照）。
【００３７】
ここで、本実施形態においては、本発明が適用された車両用シート（下部カバーが取り付けられた車両用シート）は、一列目の運転席シート１４及び助手席シート１６、二列目の運転席側二列目シート２４及び助手席側二列目シート２６、とされているが、以下の説明では、助手席シート１６を代表して説明する。
【００３８】
図１に示すように、助手席シート１６は、車両１０の車体フロア部９０上に組み付けられている（図４と図５も参照）。図１と図２とに示すように、助手席シート１６は、助手席乗員Ｊ１（図５参照）が着座するシートクッション３０と、シートクッション３０の車両後方側端部に車両前後方向に回転可能に取り付けられたシートバック１８と、を有している。また、シートバック１８の上端部にはヘッドレスト２０が取り付けられている。
【００３９】
図２に示すように、助手席シート１６の下部には、シートクッション３０のクッションフレームの一部を構成するロアアーム５２、５４が、シートクッション３０の車両幅方向両外側端部（車両前後方向）に沿って左右一対設けられている。これらロアアーム５２、５４の車両後方側端部間には、回転軸５６が架設されており、この回転軸５６を回転中心にして、前述したシートバック１８が車両前後方向へ回転可能に取り付けられている。なお、シートバック１８のリクライニング角度は、周知のリクライニング機構（図示省略）によって、調整可能となっている。
【００４０】
ロアアーム５２、５４の下側には、車両前後方向に沿ってシートレール６２、６４が配設されている。シートレール６２、６４は、車両前後方向の端部が、ブラケット７２、７３、７４、７５を介して、車体フロア部９０に形成された四つの凸状の取付部位９２の上に固定されている。なお、車体フロア部９０の四つの取付部位９２は、平面視においてシートクッション３０の四隅部に相当する位置に形成されている。
【００４１】
そして、ロアアーム５２、５４の下部が、シートレール６２、６４に車両前後方向にスライド可能に取り付けられている。つまり、シートクッション３０とシートバック１８とが一体となって、車両前後方向にスライド可能とされている。なお、シートレール６２、６４は、例えば、それぞれアッパーレールとロアレールとを有し、アッパーレールがロアレールに対してスライド可能とされ、ロアアーム５２、５４はアッパーレールに取り付けられることでスライド可能となる。また、周知のロック機構（図示省略）によって、シートクッション３０を車体前後方向にスライドさせて適当な位置（シートポジション）にロックすることが可能になっている。
【００４２】
なお、本実施形態においては、ロアアーム５２、５４、回転軸５６、シートレール６２、６４、ブラケット７２、７３、７４、７５は、金属製とされている。そして、本実施形態では、図１と図５等に示すように、ロアアーム５２、５４（のシートクッション３０から露出した部位）、回転軸５６、シートレール６２、６４、ブラケット７２、７４、７５、７６が、「シートクッション３０から露出するシート骨格部材５０」とされる。
【００４３】
図１と図２とに示すように、助手席シート１６におけるシートクッション３０の下側に、下部カバー１００が取り付けられている。
【００４４】
図３に示すように、下部カバー１００は、樹脂製とされ、風洞部１１０と前方側遮蔽部１２０と後方側遮蔽部１３０とから構成されている。
【００４５】
風洞部１１０は、車両前後方向に延在する断面略Ｕ字形状（略矩形状）とされ、車両下方側に開口を向けて配置される（風洞部１１０の車両幅方向に沿った縦断面形状が断面略Ｕ字形状（略矩形状）とされている）。そして、風洞部１１０の内側（内壁面側）が風路１１８とされている。なお、風路１１８についての詳しい説明は後述する。
【００４６】
風洞部１１０は、車両幅方向内側の側壁を構成する内側遮蔽部１１２と、車両幅方向外側の側壁を構成する外側遮蔽部１１４と、車両上方側の天井部を構成すると共にシートクッション３０（図２参照）の裏面（下面）を覆う上方側遮蔽部１１６と、で構成されている。なお、上方側遮蔽部１１６は、内側遮蔽部１１２の上端部と外側遮蔽部１１４の上端部とに接続されている。
【００４７】
前方側遮蔽部１２０は風洞部１１０の車両前方側端部から外側に向けてフランジ状に形成されている。同様に、後方側遮蔽部１３０は、風洞部１１０の車両後方側端部から外側に向けてフランジ状に形成されている。
【００４８】
換言すると、前方側遮蔽部１２０及び後方側遮蔽部１３０は、車両幅方向に沿って配設された縦壁状とされ、風洞部１１０が形成する風路１１８に相当する領域が切り欠かれた形状（車両下方側に向けて開口された断面略Ｕ字形状（略矩形状））とされている。また、前方側遮蔽部１２０及び後方側遮蔽部１３０は平行に配置されている。
【００４９】
風洞部１１０の車両前方側端部と前方側遮蔽部１２０との境界部（角部）Ｒ１にはＲが形成されている。同様に、風洞部１１０の車両後方側端部と後方側遮蔽部１３０との境界部（角部）Ｒ２にはＲが形成されている。更に、風洞部１１０における上方側遮蔽部１１６外側遮蔽部１１４との境界部（角部）Ｒ３にはＲが形成され、且つ、上方側遮蔽部１１６と内側遮蔽部１１２との境界部（角部）Ｒ４にはＲが形成されている。
【００５０】
つまり、内側遮蔽部１１２、外側遮蔽部１１４、上方側遮蔽部１１６、前方側遮蔽部１２０、後方側遮蔽部１３０の境界部Ｒ１，Ｒ２，Ｒ３，Ｒ４は、曲面で構成されている。なお、これら境界部Ｒ１〜Ｒ４に形成されるＲは少なくとも内側（風路１１８に面する側）に形成されていればよい。
【００５１】
図３に示す下部カバー１００は、図１、図４に示すように、シートクッション３０と車体フロア部９０との間の空間に取り付けられている。換言すると、助手席シート１６の下部に取り付けられている。なお、本実施形態においては、図１〜図４に示すように、下部カバー１００は、ロアアーム５２、５４の車両前後方向の端部に設けられたブラケット１８０に、下部カバー１００の前方側遮蔽部１２０、後方側遮蔽部１３０をビス１８２で締結することで助手席シート１６に取り付けられる。
【００５２】
図１、図４に示すように、下部カバー１００の風洞部１１０は、シートクッション３０の下側に、ロアアーム５２及びシートレール６２と、ロアアーム５４及びシートレール６４と、の間に配設される。また、風洞部１１０の外壁面１１０Ａ（図２と図３参照）の外側にシートクッション３０の裏面（下面）とシート骨格部材５０とが配置される。なお、風洞部１１０の内側遮蔽部１１２及び外側遮蔽部１１４はシート骨格部材５０を覆い、上方側遮蔽部１１６はシートクッション３０（図２参照）の裏面を覆う。
【００５３】
また、前方側遮蔽部１２０は、シート骨格部材５０よりも車両前方側に配置され、正面視においてシート骨格部材５０を覆うように配設される。同様に、後方側遮蔽部１３０は、シート骨格部材５０よりも車両後方側に配置され、後面視においてシート骨格部材５０を覆うように配設される。
【００５４】
前述したように、下部カバー１００の風洞部１１０の内側が風路１１８とされている。風路１１８はシートクッション３０の下側に車両前後方向に沿って形成され、助手席シート１６の車両前方側と車両後方側との空間を連通する（図６も参照）
【００５５】
ここで、車両１０には、空調風を車室内１２へ吹き出して車室内１２を空調する車両用空調装置が備えられている。そして、車室内１２には空調風が吹き出される複数の吹出口が設けられている。代表的な吹出口としては、図５に示すように、車両１０のウインドガラス４２に向けて空調風が吹き出すようにインストルメントパネル４１の上面に開口されたデフロスタ吹出口４３、運転席シート１４（図６参照）及び助手席シート１６に着座した乗員の主に上半身に向けて空調風が吹き出すようにインストルメントパネル４１の上部に開口されたレジスタ吹出口４４、運転席シート１４（図６参照）及び助手席シート１６に着座した乗員の主に足元へ向けて空調風が吹き出すようにインストルメントパネル４１の下部に開口された足元吹出口４６と、があげられる。
【００５６】
つぎに、本実施形態の作用及び効果について説明する。
【００５７】
図５と図６とに示すように、助手席シート１６側の足元吹出口４６から温風（空調風）Ｆ１が吹き出される。温風Ｆ１は助手席シート１６の乗員Ｊ１の主に足元に吹き付けられるが、一部の温風Ｆ１は、シートクッション３０の下側（下部カバー１００の）風路１１８を流れ、助手席後方側の２列目の助手席側二列目シート２６の乗員Ｊ２の足元に吹き付けられる。
【００５８】
図１及び図４〜図５に示すように、下部カバー１００の前方側遮蔽部１２０は正面視においてシート骨格部材５０を覆うように設けられている。よって、図６に示すように車両前方側から車両後方側に向けて流れる温風Ｆ１は、前方側遮蔽部１２０に当ったのち前方側遮蔽部１２０の壁面に沿って流れる。そして、温風Ｆ１は風洞部１１０の車両前端部と前方側遮蔽部１２０との境界部Ｒ１に沿って風路１１８に流れ込み、風路１１８を通って車両後方側にスムーズに流れる。
【００５９】
ここで、温風Ｆ１が前方側遮蔽部１２０に当らないで（風路１１８を通らないで）、例えば、シート骨格部材５０の近傍を流れると、気流の乱れが大きく、温風Ｆ１はスムーズに車両後方側に流れていかない。しかし、本実施形態では、上述したように、下部カバー１００の前方側遮蔽部１２０は、正面視においてシート骨格部材５０を覆うように設けられているので、シート骨格部材５０の近傍を流れることが抑制又は防止される（温風Ｆ１は風路１１８を通って流れる）。つまり、気流の乱れを抑制し、温風Ｆ１をスムーズに車両後方側に流すことができる。
【００６０】
更に、風洞部１１０の車両前端部と前方側遮蔽部１２０との境界部Ｒ１にはＲが形成されている（境界部が曲面で構成されている）。よって、この境界部Ｒ１に沿って風路１１８に流れこむ際、温風Ｆ１（気流）の乱れを抑制又は防止することができる。つまり、温風Ｆ１がスムーズに風路１１８に流れ込む（図１の温風（矢印）Ｆ１も参照）。
【００６１】
また、シートクッション３０及びシート骨格部材５０は風洞部１１０の外壁面１１０Ａの外側に配置されているので、風路１１８にはシートクッション３０の裏面（下面）及びシート骨格部材５０が露出していない。よって、風路１１８を流れる温風Ｆ２は、シートクッション３０の裏面（下面）及びシート骨格部材５０によって気流が乱されない。更に風洞部１１０は、上方側遮蔽部１１６と外側遮蔽部１１４との境界部Ｒ４、及び上方側遮蔽部１１６と内側遮蔽部１１２との境界部Ｒ３には、それぞれＲが形成されている（境界部は曲面で構成されている）ので、風路１１８を流れる温風Ｆ２の気流の乱れが抑制又は防止される。よって、温風Ｆ２は風路１１８をスムーズに車両後方側に流れる。
【００６２】
また、温風Ｆ３が風路１１８から車両後方側に流れ出す際（排出される際）、車両前方側への巻き込み（図５に示す破線の矢印Ｆ４を参照）を後方側遮蔽部１３０によって抑制又は防止することができる。更に、風洞部１１０の車両後方側端部と後方側遮蔽部１３０との境界部Ｒ２はＲが形成されている（境界部は曲面で構成されている）ので、温風Ｆ３が風路１１８から車両後方側に流れ出す際の車両前方側への巻き込みを効果的に抑制又は防止することができる。そして、これらの結果、温風Ｆ３は風路１１８からスムーズに車両後方側に流れ出す。
【００６３】
このように、本実施形態の構成とすることで、温風をシートクッション３０の下側（下部カバー１００の）風路１１８を、助手席シート１６の車両前方側から車両後方側にスムーズに流すことができる。
【００６４】
ここで、上述したように、足元吹出口４６から吹き出される空調風が温風とされている場合、シート骨格部材５０が本実施形態のように金属等の熱伝導率が高い材質から構成されていると、シート骨格部材５０に温風が当ると熱が奪われてしまい、温風の温度が低下する。
【００６５】
しかし、前述したように、本実施形態の下部カバー１００は、断熱性が高い（熱伝導効率が低い）樹脂製とされ、前方側遮蔽部１２０が正面視においてシート骨格部材５０を覆うように設けられていると共に、風洞部１１０の外壁面１１０Ａの外側にシート骨格部材５０が配置されている。よって、温風はシート骨格部材５０に当ることなく流れるので（断熱性の高い下部カバー１００に沿って流れるので）、シート骨格部材５０に熱が奪われることによる温風の温度低下が防止される。
【００６６】
更に、風路１１８から温風が車両後方側に流れ出す際、車両前方側に巻き込まれてシート骨格部材５０に当たり熱が奪われることによる温度低下が後方側遮蔽部１３０によって抑制又は防止される。
【００６７】
したがって、シート骨格部材５０が金属等の熱伝導率が高い材質から構成されている場合であっても、シート骨格部材５０に熱が奪われることによる温風の温度低下を抑制又は防止することができる。つまり、温風が助手席シート１６の車両前方側からシートクッション３０の下部の風路１１８を通って車両後方側へと流れる際の、温風の温度低下を抑制することができる。
【００６８】
今まで説明したように、本実施形態の構成とすることで、温風を助手席シート１６の車両前方側から車両後方側に、温風の温度低下を抑制しつつ、スムーズに流すことができる。その結果、助手席後方側の２列目の助手席側二列目シート２６の乗員Ｊ２の足元を効果的に暖めることができる。また、車室内１２全体を迅速に暖めることができると共に、空調装置の負荷（空調負荷）を低減させることができる。
【００６９】
なお、今まで、助手席シート１６を代表して説明したが、図５に示すように、同様に、一列目の運転席シート１４には本発明が適用された下部カバー３００が取り付けられている。したがって、温風を運転席シート１４の車両前方側から車両後方側に、温風の温度低下を抑制しつつ、スムーズに流すことができる。
【００７０】
同様に、二列目の運転席側二列目シート２４及び助手席側二列目シート２６にも、本発明が適用された下部カバー３０２、３０４が取り付けられている。
【００７１】
よって、運転席シート１４及び助手席シート１６の下部の風路１１８（下部カバーの風洞部）を流れてきた温風を、更に、三列目の運転席側三列目シート３４及び助手席側三列目シート３６に、温風の温度低下を抑制しつつ、スムーズに流すことができる。
【００７２】
このように、一列目の運転席シート１４及び助手席シート１６、二列目の運転席側二列目シート２４及び助手席側二列目シート２６、に本発明を適用させることで、車室内１２全体を更に迅速に暖めることができる。また、これにより、空調装置の負荷（空調負荷）を更に低減させることができる。
【００７３】
また、温風以外の空調風であっても本発明は有効とされる。例えば、冷風の場合であっても、助手席シート１６（車両用シート）の車両前方側から車両後方側にスムーズに流すことができるので、その結果、車室内１２全体を迅速に冷すことができる。また、これにより、空調装置の負荷（空調負荷）を低減させることができる。
【００７４】
また、送風の場合であっても、助手席シート１６（車両用シート）の車両前方側から車両後方側にスムーズに流すことができるので、その結果、車室内１２を迅速に快適な空間とすることができる。
【００７５】
なお、本発明は上記実施形態に限定されない。
【００７６】
例えば、図７に示す第一変形例のように、風洞部の上方側遮蔽部が半円形状とされ、風洞部が形成する風路５１８が、車両下側方向に向けて開口された断面略半円形状（トンネル形状とされた下部カバー５００が取り付けられた車両用シート５１６であってもよい。
【００７７】
また、例えば、図８に示す第二変形の下部カバー８００のように、風洞部８１０の、内側遮蔽部８１２は車両幅方向内側に向けて湾曲した形状とされ、外側遮蔽部８１４は車両幅方向外側に向けて湾曲した形状とされていてもよい（内側遮蔽部８１２と外側遮蔽部８１４はシート幅方向中央側に向けて湾曲されていてもよい）。言い換えると、風路８１８は、車両中央部の車両幅方向の幅が狭なった形状（絞形状）としてもよい。
【００７８】
そして、このような形状とすることで風路８１８を通る温風Ｆ２の風速が上がり、その結果、車両後方側への吹き出し効果を得ることができる。
【００７９】
また、図示は省略するが、シート骨格部材のシート幅方向外側を覆う外カバーを下部カバーに設けてもよい。言い換えると、シート骨格部材を間に挟んで風洞部の内側遮蔽部の内側及び外側遮蔽部の外側の少なくとも一方に外カバーを設けてもよい。
【００８０】
そして、このような外カバーを設けることで、温風の温度低下を更に効果的に抑制することができる。
【００８１】
また、例えば、下部カバー１００、２００、３００、４００、５００、８００は、樹脂製とされていたが、これに限定されない。熱伝導効率がシート骨格部材よりも低い材質で構成されていれば、特に限定されない。また、例えば、発泡ウレタン等、より断熱効果が高い材質で構成されることで、温風の温度低下を、更に効果的に抑制することがきる。
【００８２】
なお、風洞部（風路）の車両幅方向に沿った縦断面形状を示す「断面略Ｕ字形状」とは、図１等に示す略矩形状や図７に示す略半円形状（トンネル形状）に加え、略山型（略三角形状）なども含む形状とされている。つまり、車両下側方向に向けて開口され、車両前後方向に風路が形成される形状とされていればよい。
【図面の簡単な説明】
【００８３】
【図１】本発明の実施形態に係る車両用シートの下部カバーが取り付けられた車両用シートの斜視図である。
【図２】図１の分解斜視図である。
【図３】下部カバー単体の斜視図である。
【図４】下部カバーが取り付けられた車両用シートの正面図であり、（Ｂ）は側面図である。
【図５】下部カバーが取り付けられた車両用シートを備える車両の車室内を助手席側の車両幅方向外側から見た側面図である。
【図６】下部カバーが取り付けられた車両用シートを備える車両の車室内を車両上方側から見た平面図である。
【図７】第一変形例の下部カバーが取り付けられた車両用シートの正面図である。
【図８】第二変形例の下部カバーを示す平面図である。
【符号の説明】
【００８４】
１０      車両
１２      車室内
１４      運転席シート（車両用シート）
１６      助手席シート（車両用シート）
２４      運転席側二列目シート（車両用シート）
２６      助手席側二列目シート（車両用シート）
３０      シートクッション
５０      シート骨格部材
９０      車体フロア部
１００      下部カバー
１１０      風洞部
１１０Ａ    外壁面
１１８      風路
１２０      前方側遮蔽部
１３０      後方側遮蔽部
３００      下部カバー
３０２      下部カバー
３０４      下部カバー
Ｒ１      境界部
Ｒ２      境界部
Ｒ３      境界部
Ｒ４      境界部
【図１】
2009248753.tif 000003
【図２】
2009248753.tif 000004
【図３】
2009248753.tif 000005
【図４】
2009248753.tif 000006
【図５】
2009248753.tif 000007
【図６】
2009248753.tif 000008
【図７】
2009248753.tif 000009
【図８】
2009248753.tif 000010